【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
記録材に画像を形成する画像形成部と、
回転体と、前記回転体の長手方向の長さが最も長い第１の発熱体と前記第１の発熱体よりも前記長手方向の長さが短い第２の発熱体とを含む複数の発熱体を有する前記回転体を加熱するヒータと、を有し、前記回転体を介した前記ヒータの熱で画像を記録材に定着する定着部と、
前記複数の発熱体のいずれか一つに対して電力供給可能になるように電力供給ラインを切り替える切り替え部と、を有する画像形成装置において、
第１のプリント命令に応じて、前記切り替え部により前記第２の発熱体に電力供給可能になるように前記電力供給ラインが切り替えられた状態で定着処理が終わった場合、前記第１のプリント命令の次の第２のプリント命令の受信の有無によらず、前記切り替え部は前記第２の発熱体から前記第１の発熱体に前記電力供給ラインを切り替えることを特徴とする画像形成装置。
【請求項２】
前記切り替え部により前記第２の発熱体から前記第１の発熱体に電力供給可能になるように前記電力供給ラインを切り替えたことによって、前記第１のプリント命令に応じた画像形成は終了することを特徴とする請求項１に記載の画像形成装置。
【請求項３】
前記切り替え部は、前記ヒータに電力を供給するための回路に設けられたリレーであって、前記リレーに電力が供給されていない状態で前記第２の発熱体から前記第１の発熱体に電力供給可能になるように電力供給ラインが切り替えられることを特徴とする請求項１又は２に記載の画像形成装置。
【請求項４】
前記第２のプリント命令が、複数の小サイズ記録材に連続的に画像形成を行う命令である場合、最初の所定枚数だけ前記第１の発熱体を用いて定着処理を行った後、前記切り替え部は、前記第２の発熱体に電力供給可能になるように前記電力供給ラインを切り替えて残りの枚数の記録材の定着処理を行うことを特徴とする請求項１乃至３のいずれか１項に記載の画像形成装置。
【請求項５】
前記回転体に駆動力を伝達するための駆動源を有し、前記駆動源が回転している間に前記切り替え部を切り替えることを特徴とする請求項１乃至４のいずれか１項に記載の画像形成装置。
【請求項６】
前記ヒータは基板を有し、前記第１の発熱体及び前記第２の発熱体は、前記基板の上に形成されていることを特徴とする請求項１乃至５のいずれか１項に記載の画像形成装置。
【請求項７】
前記回転体は筒状のフィルムであって、前記ヒータは前記フィルムの内部空間に配置されていることを特徴とする請求項６に記載の画像形成装置。
【請求項８】
前記定着部は、前記フィルムを介して前記ヒータと共にニップ部を形成するローラを有し、
前記ヒータと前記ローラで前記フィルムを挟持しており、記録材上の画像は前記ニップ部で前記フィルムを介して加熱されることを特徴とする請求項７に記載の画像形成装置。
【請求項９】
記録材に画像を形成する画像形成部と、
回転体と、前記回転体の長手方向の長さが最も長い第１の発熱体と前記第１の発熱体よりも前記長手方向の長さが短い第２の発熱体とを含む複数の発熱体を有する前記回転体を加熱するヒータと、を有し、前記回転体を介した前記ヒータの熱で画像を記録材に定着する定着部と、
前記複数の発熱体のいずれか一つに対して電力供給可能になるように電力供給ラインを切り替える切り替え部と、
前記定着部の温度を検知する検知部と、
前記検知部の温度検知結果に応じて、前記電力供給ラインを切り替えるか否かを制御する制御部と、を有する画像形成装置において、
前記制御部は、前記温度検知結果が所定の温度以上であり、且つ画像を形成する記録材が第１のサイズであれば、前記第１の発熱体に電力供給可能になるように前記電力供給ラインを切り替え、前記温度検知結果が所定の温度以上であり、且つ画像を形成する記録材が前記第１のサイズより小さい第２のサイズであれば、前記第２の発熱体に電力供給可能になるように前記電力供給ラインを切り替えることを特徴とする画像形成装置。
【請求項１０】
前記制御部は、前記温度検知結果が所定の温度以下であれば、前記第１の発熱体に電力供給可能になるように前記電力供給ラインを切り替えることを特徴とする請求項９に記載の画像形成装置。
【請求項１１】
記録材に画像を形成する画像形成部と、
回転体と、前記回転体の長手方向の長さが最も長い第１の発熱体と前記第１の発熱体よりも前記長手方向の長さが短い第２の発熱体とを含む複数の発熱体を有する前記回転体を加熱するヒータと、を有し、前記回転体を介した前記ヒータの熱で画像を記録材に定着する定着部と、
前記複数の発熱体のいずれか一つに対して電力供給可能になるように電力供給ラインを
切り替える切り替え部と、を有する画像形成装置において、
画像形成装置が第１の状態から前記第１の状態より消費電力の低い第２の状態に切り替わる場合、前記第１の状態において前記切り替え部により前記第２の発熱体から前記第１の発熱体に前記電力供給ラインを切り替えたのちに、前記第１の状態から前記第２の状態に切り替わることを特徴とする画像形成装置。
【請求項１２】
前記切り替え部により前記第２の発熱体から前記第１の発熱体に電力供給可能になるように前記電力供給ラインを切り替えたことによって、前記第１の状態における画像形成は終了することを特徴とする請求項１１に記載の画像形成装置。
【請求項１３】
前記切り替え部は、前記ヒータに電力を供給するための回路に設けられたリレーであって、前記リレーに電力が供給されていない状態で前記第２の発熱体から前記第１の発熱体に電力供給可能になるように電力供給ラインが切り替えられることを特徴とする請求項１１又は１２に記載の画像形成装置。
【請求項１４】
前記回転体に駆動力を伝達するための駆動源を有し、前記駆動源が回転している間に前記切り替え部を切り替えることを特徴とする請求項１１乃至１３のいずれか１項に記載の画像形成装置。
【請求項１５】
前記ヒータは基板を有し、前記第１の発熱体及び前記第２の発熱体は、前記基板の上に形成されていることを特徴とする請求項１１乃至１４のいずれか１項に記載の画像形成装置。
【請求項１６】
前記回転体は筒状のフィルムであって、前記ヒータは前記フィルムの内部空間に配置されていることを特徴とする請求項１５に記載の画像形成装置。
【請求項１７】
前記定着部は、前記フィルムを介して前記ヒータと共にニップ部を形成するローラを有し、
前記ヒータと前記ローラで前記フィルムを挟持しており、記録材上の画像は前記ニップ部で前記フィルムを介して加熱されることを特徴とする請求項１６に記載の画像形成装置。
【請求項１８】
前記第１の状態は画像形成モードであり、前記第２の状態は省電力モードであることを特徴とする請求項１１乃至１７のいずれか１項に記載の画像形成装置。
【手続補正２】
【補正対象書類名】明細書
【補正対象項目名】０００５
【補正方法】変更
【補正の内容】
【０００５】
本発明の側面の一つは、記録材に画像を形成する画像形成部と、回転体と、前記回転体の長手方向の長さが最も長い第１の発熱体と前記第１の発熱体よりも前記長手方向の長さが短い第２の発熱体とを含む複数の発熱体を有する前記回転体を加熱するヒータと、を有し、前記回転体を介した前記ヒータの熱で画像を記録材に定着する定着部と、前記複数の発熱体のいずれか一つに対して電力供給可能になるように電力供給ラインを切り替える切り替え部と、を有する画像形成装置において、第１のプリント命令に応じて、前記切り替え部により前記第２の発熱体に電力供給可能になるように前記電力供給ラインが切り替えられた状態で定着処理が終わった場合、前記第１のプリント命令の次の第２のプリント命令の受信の有無によらず、前記切り替え部は前記第２の発熱体から前記第１の発熱体に前記電力供給ラインを切り替えることである。